(57)【要約】【課題】画像信号を補正する際の補正データ量を削減する。【解決手段】補正データ保持部は、照射された光に応じた画像信号を出力する画素が行列形状に配置される画素アレイ部における端部近傍の領域である周縁部に配置された画素から出力される画像信号を補正する際の補正値のうち画素アレイ部の端部に配置された画素である端部画素の補正値と、周縁部および画素アレイ部における周縁部以外の領域の境界から端部までの距離とを保持する。補正値生成部は、保持された補正値および距離に基づいて端部画素と境界に配置された画素である周縁部境界画素との間に配置された画素における補正値を生成する。補正部は、補正値に基づいて画像信号の補正を行う。【選択図】図１
2018056723.tif 000002
【特許請求の範囲】
【請求項１】
照射された光に応じた画像信号を出力する画素が行列形状に配置される画素アレイ部における端部近傍の領域である周縁部に配置された前記画素から出力される画像信号を補正する際の補正値のうち前記画素アレイ部の端部に配置された前記画素である端部画素の前記補正値と、前記周縁部および前記画素アレイ部における前記周縁部以外の領域の境界から前記端部までの距離とを保持する補正データ保持部と、
前記保持された補正値および距離に基づいて前記端部画素と前記境界に配置された画素である周縁部境界画素との間に配置された画素における前記補正値を生成する補正値生成部と、
前記補正値に基づいて前記画像信号の補正を行う補正部と
を具備する撮像素子。
【請求項２】
前記周縁部は、前記画像信号の補正の対象となる領域である請求項１記載の撮像素子。
【請求項３】
前記補正値生成部は、前記端部画素と前記周縁部境界画素との間に配置された画素毎に前記保持された補正値および距離に基づく線形補間を行うことにより前記補正値を生成する請求項１記載の撮像素子。
【請求項４】
前記補正値生成部は、前記保持された補正値に相当する電圧を抵抗により分圧することにより前記線形補間を行う請求項３記載の撮像素子。
【請求項５】
前記補正データ保持部は、前記画素アレイ部の行方向に配置された前記端部画素の補正値と前記行における前記端部から前記境界までの距離とを保持し、
前記補正値生成部は、前記画素アレイ部の列毎に前記補正値を生成し、
前記補正部は、前記列毎に前記補正を行う
請求項１記載の撮像素子。
【請求項６】
前記補正部が前記列毎に配置されて、当該複数の補正部は前記生成された列毎の補正値に基づいてそれぞれ前記補正を行う請求項５記載の撮像素子。
【請求項７】
前記補正データ保持部は、前記画素アレイ部の列方向に配置された前記端部画素の補正値と前記列における前記端部から前記境界までの距離とを保持し、
前記補正値生成部は、前記行毎に前記補正値を生成し、
前記補正部は、前記行毎に前記補正を行う
請求項１記載の撮像素子。
【請求項８】
前記補正データ保持部は、前記画素アレイ部の行方向および列方向に配置された前記端部画素の補正値と前記行および列における前記端部から前記境界までの距離とを保持し、
前記補正値生成部は、前記行および列毎に前記補正値を生成し、
前記補正部は、前記行および列毎に前記補正を行う
請求項１記載の撮像素子。
【請求項９】
前記補正データ保持部は、前記画素アレイ部における対向する２辺のうちの１辺に係る前記端部画素の補正値と前記１辺に係る前記端部から前記境界までの距離とを保持し、
前記補正値生成部は、前記保持された１辺に係る補正値および距離に基づいて前記２辺に係る前記補正値を生成する
請求項１記載の撮像素子。
【請求項１０】
前記画素から出力された画像信号に対するアナログデジタル変換を行う際の基準となる信号である参照信号を生成する参照信号生成部と、
前記生成された補正値に基づいて前記参照信号を調整する参照信号調整部と
をさらに具備し、
前記補正部は、前記調整された参照信号に基づいて前記アナログデジタル変換を行うことにより前記補正を行う
請求項１記載の撮像素子。
【請求項１１】
照射された光に応じた画像信号を出力する画素が行列形状に配置されて中央部および周縁部を有する画素アレイ部の前記周縁部に配置された前記画素から出力される画像信号を補正する際の補正値のうち前記画素アレイ部の端部に配置された前記画素である端部画素の前記補正値と前記端部から前記中央部および前記周縁部の境界までの距離とを保持する補正データ保持部と、
前記保持された補正値および距離に基づいて前記端部画素と前記境界に配置された画素である周縁部境界画素との間に配置された画素における前記補正値を生成する補正値生成部と、
前記補正値に基づいて前記画像信号の補正を行う補正部と、
前記補正された画像信号を処理する処理回路と
を具備する撮像装置。
【発明の詳細な説明】
【技術分野】
【０００１】
本技術は、撮像素子および撮像装置に関する。詳しくは、画像信号を補正する撮像素子および撮像装置に関する。
【背景技術】
【０００２】
従来、撮像装置から出力された画像において画面内の輝度が不均一となり、画質が低下する現象が知られている。この現象は、シェーディングと称され、撮像装置に使用される撮像素子に配置された画素の感度が画面内において不均一であることにより生じる現象である。また、撮像素子に画像を結像するレンズの影響により、撮像素子の中央部と周辺部とでは光の入射角度が異なる場合にも、このシェーディングが発生する。そこで、撮像素子から出力された画像信号を補正することにより、シェーディングの発生を防止する撮像装置が使用されている。例えば、画素を複数のブロックに分割し、ブロック毎に補正データを設定するとともに２次元フィルタによりこれらの補正データをスムージング処理して補正値を生成し、画像信号を補正するシステムが提案されている（例えば、特許文献１参照。）。
【先行技術文献】
【特許文献】
【０００３】
【特許文献１】特開２００７−１１６７２４号公報
【発明の概要】
【発明が解決しようとする課題】
【０００４】
上述の従来技術では、ブロック毎に設定された補正データを補正データ補間メモリに格納する。補正後の画質を向上させるためには、ブロックを細分化する必要が生じ、ブロック数が増加する。また、精細度が高い撮像素子に上述の従来技術を適用する場合にも、ブロック数が増加する。このため、上述の従来技術では、補正データ補間メモリに格納する補正データ量が増加するという問題がある。
【０００５】
本技術はこのような状況に鑑みて生み出されたものであり、画像信号を補正する際の補正データ量を削減することを目的とする。
【課題を解決するための手段】
【０００６】
本技術は、上述の問題点を解消するためになされたものであり、その第１の側面は、照射された光に応じた画像信号を出力する画素が行列形状に配置されて中央部および周縁部を有する画素アレイ部の上記周縁部に配置された上記画素から出力される画像信号を補正する際の補正値のうち上記画素アレイ部の端部に配置された上記画素である端部画素の上記補正値と上記端部から上記中央部および上記周縁部の境界までの距離とを保持する補正データ保持部と、上記保持された補正値および距離に基づいて上記端部画素と上記境界に配置された画素である周縁部境界画素との間に配置された画素における上記補正値を生成する補正値生成部と、上記補正値に基づいて上記画像信号の補正を行う補正部とを具備する撮像素子である。これにより、端部画素の補正値と端部から境界までの距離とに基づいて画像信号の補正値が生成されるという作用をもたらす。
【０００７】
また、この第１の側面において、上記周縁部は、上記画像信号の補正の対象となる領域であってもよい。これにより、周縁部に配置された画素から出力された画像信号が補正の対象になるという作用をもたらす。
【０００８】
また、この第１の側面において、上記補正値生成部は、上記端部画素と上記周縁部境界画素との間に配置された画素毎に上記保持された補正値および距離に基づく線形補間を行うことにより上記補正値を生成してもよい。これにより、補正値が線形補間により生成されるという作用をもたらす。
【０００９】
また、この第１の側面において、上記補正値生成部は、上記保持された補正値に相当する電圧を抵抗により分圧することにより上記線形補間を行ってもよい。これにより、補正値に相当する電圧が抵抗により分圧されて、線形補間が実行されるという作用をもたらす。
【００１０】
また、この第１の側面において、上記補正データ保持部は、上記画素アレイ部の行方向に配置された上記端部画素の補正値と上記行における上記端部から上記境界までの距離とを保持し、上記補正値生成部は、上記画素アレイ部の列毎に上記補正値を生成し、上記補正部は、上記列毎に上記補正を行ってもよい。これにより、補正が列毎に行われるという作用をもたらす。
【００１１】
また、この第１の側面において、上記補正部が上記列毎に配置されて、当該複数の補正部は上記生成された列毎の補正値に基づいてそれぞれ上記補正を行ってもよい。これにより、列毎に配置された補正部により補正が行われるという作用をもたらす。
【００１２】
また、この第１の側面において、上記補正データ保持部は、上記画素アレイ部の列方向に配置された上記端部画素の補正値と上記列における上記端部から上記境界までの距離とを保持し、上記補正値生成部は、上記行毎に上記補正値を生成し、上記補正部は、上記行毎に上記補正を行ってもよい。これにより、行毎に補正が行われるという作用をもたらす。
【００１３】
また、この第１の側面において、上記補正データ保持部は、上記画素アレイ部の行方向および列方向に配置された上記端部画素の補正値と上記行および列における上記端部から上記境界までの距離とを保持し、上記補正値生成部は、上記行および列毎に上記補正値を生成し、上記補正部は、上記行および列毎に上記補正を行ってもよい。これにより、行および列毎に補正が行われるという作用をもたらす。
【００１４】
また、この第１の側面において、上記補正データ保持部は、上記画素アレイ部における対向する２辺のうちの１辺に係る上記端部画素の補正値と上記１辺に係る上記端部から上記境界までの距離とを保持し、上記補正値生成部は、上記保持された１辺に係る補正値および距離に基づいて上記２辺に係る上記補正値を生成してもよい。これにより、画素アレイ部における対向する２辺のうちの何れか一方の辺における補正値等により他方の辺の補正値等が生成されるという作用をもたらす。
【００１５】
また、この第１の側面において、上記画素から出力された画像信号に対するアナログデジタル変換を行う際の基準となる信号である参照信号を生成する参照信号生成部と、上記生成された補正値に基づいて上記参照信号を調整する参照信号調整部とをさらに具備し、上記補正部は、上記調整された参照信号に基づいて上記アナログデジタル変換を行うことにより上記補正を行ってもよい。これにより、補正値に基づいて調整された参照信号に基づいてアナログデジタル変換を行うことにより、画像信号の補正が行われるという作用をもたらす。
【００１６】
また、本技術の第２の側面は、照射された光に応じた画像信号を出力する画素が行列形状に配置されて中央部および周縁部を有する画素アレイ部の上記周縁部に配置された上記画素から出力される画像信号を補正する際の補正値のうち上記画素アレイ部の端部に配置された上記画素である端部画素の上記補正値と上記端部から上記中央部および上記周縁部の境界までの距離とを保持する補正データ保持部と、上記保持された補正値および距離に基づいて上記端部画素と上記境界に配置された画素である周縁部境界画素との間に配置された画素における上記補正値を生成する補正値生成部と、上記補正値に基づいて上記画像信号の補正を行う補正部と、上記補正された画像信号を処理する処理回路とを具備する撮像装置である。これにより、端部画素の補正値と端部から境界までの距離とに基づいて画像信号の補正値が生成されるという作用をもたらす。
【発明の効果】
【００１７】
本技術によれば、画像信号を補正する際の補正データ量を削減するという優れた効果を奏し得る。なお、ここに記載された効果は必ずしも限定されるものではなく、本開示中に記載されたいずれかの効果であってもよい。
【図面の簡単な説明】
【００１８】
【図１】本技術の第１の実施の形態における撮像装置１０の構成例を示す図である。
【図２】本技術の実施の形態における水平駆動部３００の構成例を示す図である。
【図３】本技術の実施の形態におけるアナログデジタル変換部３１０の構成例を示す図である。
【図４】本技術の実施の形態におけるアナログデジタル変換の一例を示す図である。
【図５】本技術の実施の形態における参照信号生成部４００の構成例を示す図である。
【図６】本技術の第１の実施の形態における参照信号調整部７００の構成例を示す図である。
【図７】本技術の第１の実施の形態におけるシェーディングの一例を示す図である。
【図８】本技術の実施の形態における画像信号の補正の一例を示す図である。
【図９】本技術の第１の実施の形態における補正値生成部６００の構成例を示す図である。
【図１０】本技術の実施の形態における電圧電流変換部６３０の構成例を示す図である。
【図１１】本技術の第２の実施の形態におけるシェーディングの一例を示す図である。
【図１２】本技術の第２の実施の形態における参照信号調整部７００の構成例を示す図である。
【図１３】本技術の第２の実施の形態における補正値生成部６００の構成例を示す図である。
【図１４】本技術の第３の実施の形態における撮像装置１０の構成例を示す図である。
【図１５】本技術の第３の実施の形態における参照信号調整部７００の構成例を示す図である。
【発明を実施するための形態】
【００１９】
以下、本技術を実施するための形態（以下、実施の形態と称する）について説明する。説明は以下の順序により行う。
１．第１の実施の形態（画素アレイ部の列毎に補正を行う場合の例）
２．第２の実施の形態（画素アレイ部の行毎に補正を行う場合の例）
３．第３の実施の形態（画素アレイ部の行および列毎に補正を行う場合の例）
【００２０】
＜１．第１の実施の形態＞
［撮像装置の構成］
図１は、本技術の第１の実施の形態における撮像装置１０の構成例を示す図である。この撮像装置１０は、画素アレイ部１００と、垂直駆動部２００と、水平駆動部３００と、参照信号生成部４００と、補正データ保持部５００と、補正値生成部６００と、参照信号調整部７００とを備える。
【００２１】
画素アレイ部１００は、レンズ（不図示）等により結像された画像に応じた画像信号を生成し、水平駆動部３００に対して出力するものである。この画素アレイ部１００は、画像信号を生成する画素１１０が行列形状に配置されて構成される。また、画素１１０は、例えば、フォトダイオード等の光電変換を行う素子により画素１１０に照射された光に応じた画像信号を生成する。また、画素１１０に所定の周波数の光を透過させるフィルタを配置することにより、所望の光に対応する画像信号を生成することもできる。例えば、赤、緑または青のフィルタを画素１１０にそれぞれ配置することにより、赤色光、緑色光または青色光に対応する画像信号を生成させることができる。
【００２２】
また、画素アレイ部１００には、信号線１０１および信号線１０２がＸＹマトリクス状に配置されている。信号線１０１は、画素１１０に制御信号を伝達する信号線である。この制御信号に基づいて、画素１１０は、生成した画像信号の出力等を行う。この信号線１０１は、画素アレイ部１００の行毎に配置され、１つの行に配置された画素１１０に対して共通に配線される。すなわち、１つの行に配置された画素１１０には、共通の制御信号が伝達される。一方、信号線１０２は、画素１１０により生成された画像信号を伝達する信号線である。この信号線１０２は、画素アレイ部１００の列毎に配置され、１つの列に配置された画素１１０に対して共通に配線される。すなわち、１つの列に配置された画素１１０は、共通の信号線１０２に対して生成した画像信号を出力する。
【００２３】
垂直駆動部２００は、画素アレイ部１００に配置された画素１１０の制御信号を生成するものである。この垂直駆動部２００は、画素１１０に対して、例えば、画像信号を出力させる制御信号を生成し、信号線１０１を介して行毎に出力する。上述のように、信号線１０１は１つの行に配置された画素１１０に共通に配線されているため、１つの行に配置された全ての画素１１０において同時に画像信号が出力されることとなる。
【００２４】
水平駆動部３００は、画素アレイ部１００に配置された画素１１０により生成された画像信号を処理するものである。この水平駆動部３００は、例えば、画素１１０により生成された画像信号をデジタルの画像信号に変換するアナログデジタル変換処理を行うことができる。同図の水平駆動部３００は、このアナログデジタル変換を行うアナログデジタル変換部３１０を備える。また、水平駆動部３００は、例えば、画素１１０により生成された画像信号の補正処理を行うことができる。水平駆動部３００は、処理後の画像信号を信号線３０１に出力する。この出力された画像信号は、撮像装置１０の出力画像信号に該当する。水平駆動部３００の構成の詳細については後述する。
【００２５】
参照信号生成部４００は、参照信号を生成するものである。ここで、参照信号とは、画像信号をアナログデジタル変換する際の基準となる信号である。この参照信号として、例えば、値がランプ状に変化する信号を使用することができる。参照信号生成部４００は、アナログデジタル変換部３１０におけるアナログデジタル変換の開始と同期して参照信号の生成を開始する。この参照信号生成部４００により生成された参照信号は、信号線４０１を介して参照信号調整部７００に対して出力される。参照信号生成部４００の構成の詳細については後述する。
【００２６】
補正データ保持部５００は、画素１１０から出力された画像信号を補正するための補正データを保持するものである。この補正データ保持部５００は、シェーディングと称される画面周縁部の輝度むらを削減するための画像信号の補正データを保持する。この補正データとして、例えば、画素アレイ部１００の端部に配置された画素（以下、端部画素と称する）における補正値と画素アレイ部１００の端部から中央部および周縁部の境界までの距離とを保持することができる。ここで、画素アレイ部１００の端部とは、画素アレイ部１００において行列形状に配置された画素１１０の最外周を表す。また、周縁部は画素アレイ部１００における端部近傍の領域を表す。この周縁部が画像信号の補正の対象領域である。すなわち、周縁部に配置された画素１１０により生成された画像信号が補正の対象となる。また、周縁部以外の領域が上述の中央部に該当する。また、中央部および周縁部の境界（以下、境界と称する）に配置された画素１１０を周縁部境界画素と称する。
【００２７】
同図の補正データ保持部５００は、画素アレイ部１００の行方向に配置された画素１１０における補正データを保持する。具体的には、行の両端における端部画素の補正値および端部から境界までの距離を保持し、補正値生成部６００に対して信号線５０１を介して出力する。この補正値には、端部画素および周縁部境界画素の画像信号の差分を適用することができる。この場合には、補正データ保持部５００は、この差分に応じた電圧の信号を補正値として出力することができる。後述するように、補正データ保持部５００は、正極性または負極性の電圧の信号を補正値として出力する。補正値が正極性の信号の場合には、画像信号の輝度を低くする補正が実行される。一方、補正値が負極性の信号の場合には、画像信号の輝度を高くする補正が実行される。また、距離には、端部画素から周縁部境界画素までの画素数を適用することができる。撮像装置１０における補正の詳細については後述する。
【００２８】
補正値生成部６００は、端部画素および周縁部境界画素の間に配置された画素１１０の補正値を生成するものである。この補正値生成部６００は、画素アレイ部１００の１行に配置された画素１１０のそれぞれの補正値を生成する。すなわち、画素アレイ部１００の列毎に補正値を生成する。生成された補正値は、参照信号調整部７００に対して信号線６０１を介して出力される。補正値生成部６００の構成の詳細については後述する。
【００２９】
参照信号調整部７００は、補正値生成部６００により出力された補正値に基づいて参照信号生成部４００から出力された参照信号を調整するものである。この参照信号調整部７００は、画素１１０の列毎に参照信号の調整を行う。調整された参照信号は、信号線７０１を介して水平駆動部３００に対して出力される。参照信号調整部７００の構成の詳細については後述する。
【００３０】
なお、画素アレイ部１００、垂直駆動部２００、アナログデジタル変換部３１０、参照信号生成部４００、補正データ保持部５００、補正値生成部６００および参照信号調整部７００は、撮像素子を構成する。
【００３１】
［水平駆動部の構成］
図２は、本技術の実施の形態における水平駆動部３００の構成例を示す図である。この水平駆動部３００は、アナログデジタル変換部（ＡＤ変換部）３１０と、画像信号水平転送部３２０とを備える。
【００３２】
アナログデジタル変換部３１０は、画素１１０から出力された画像信号をアナログデジタル変換するものである。このアナログデジタル変換部３１０は、参照信号調整部７００から出力された参照信号に基づいてアナログデジタル変換を行う。変換後のデジタルの画像信号は、信号線３０２を介して画像信号水平転送部３２０に対して出力される。同図に表したように、アナログデジタル変換部３１０は、画素アレイ部１００の列毎に配置される。また、これらのアナログデジタル変換部３１０毎に参照信号が供給される。アナログデジタル変換は、これらのアナログデジタル変換部３１０において同時に実行される。アナログデジタル変換部３１０の構成の詳細については後述する。なお、アナログデジタル変換部３１０は、特許請求の範囲に記載の補正部の一例である。
【００３３】
画像信号水平転送部３２０は、アナログデジタル変換部３１０により出力された複数のデジタルの画像信号を順に転送する処理を行うものである。この転送は、例えば、同図の左端に配置されたアナログデジタル変換部３１０により出力されたデジタルの画像信号から順に信号線３０１に対して出力することにより行うことができる。なお、画像信号水平転送部３２０は、特許請求の範囲に記載の処理回路の一例である。
【００３４】
［アナログデジタル変換部の構成］
図３は、本技術の実施の形態におけるアナログデジタル変換部３１０の構成例を示す図である。このアナログデジタル変換部３１０は、キャパシタ３１１および３１２と、比較部３１３と、カウント部３１４とを備える。
【００３５】
キャパシタ３１１および３１２は、結合キャパシタである。キャパシタ３１１は、信号線７０１と比較部３１３との間に接続され、参照信号調整部７００により出力された参照信号を比較部３１３に伝達する。また、キャパシタ３１２は、信号線１０２と比較部３１３との間に接続され、画素１１０により出力された画像信号を比較部３１３に伝達する。
【００３６】
比較部３１３は、キャパシタ３１１および３１２により伝達された参照信号および画像信号を比較するものである。この比較部３１３は、比較の結果をカウント部３１４に対して出力する。比較部３１３は、例えば、参照信号の電圧が画像信号の電圧より高い場合に値「１」を出力し、参照信号の電圧が画像信号の電圧より低くなった際に値「０」を比較の結果として出力することができる。
【００３７】
カウント部３１４は、アナログデジタル変換部３１０におけるアナログデジタル変換の開始から比較部３１３による比較結果の出力までの時間を計時するものである。このカウント部３１４は、クロック信号（不図示）をカウントすることにより計時を行う。また、このカウント部３１４は、カウント値をアナログデジタル変換の結果として保持する。その後、上述した画像信号水平転送部３２０におけるデジタルの画像信号の転送の際、保持したカウント値を画像信号水平転送部３２０に対して出力する。
【００３８】
［アナログデジタル変換］
図４は、本技術の実施の形態におけるアナログデジタル変換の一例を示す図である。同図は、図３において説明したアナログデジタル変換部３１０におけるアナログデジタル変換の様子を表したものである。同図において、参照信号および画像信号は、比較部３１３に入力される参照信号および画像信号の波形を表す。同図の波形３９１および３９２は、それぞれ参照信号および画像信号の波形に該当する。また、比較部の出力は、比較部３１３の出力（比較結果）を表す。カウント値は、カウント部３１４のカウント値を表す。
【００３９】
まず、参照信号生成部４００における参照信号の生成が開始される。同図に表したように、参照信号は、電圧がランプ形状に低下する信号である。同時にカウント部３１４がカウントを開始する。この際、参照信号の電圧が画像信号の電圧より高いため、比較部３１３の出力は、値「１」となる。その後、参照信号の電圧が画像信号の電圧より低くなると、比較部３１３の出力は、値「０」に遷移する。これにより、カウント部３１４はカウントを停止する。この際のカウント値がカウント部３１４に保持される。同図においては、保持されるカウント値を「Ａ」により表す。その後、参照信号生成部４００における参照信号の生成が停止され、カウント部３１４に保持されたカウント値「Ａ」が画像信号水平転送部３２０に対してアナログデジタル変換の結果として出力される。最後に、カウント部３１４のカウント値がリセットされ、初期状態に戻る。このように、アナログデジタル変換部３１０によるアナログデジタル変換が行われる。
【００４０】
［参照信号生成部の構成］
図５は、本技術の実施の形態における参照信号生成部４００の構成例を示す図である。この参照信号生成部４００は、カウント部４１０と、デジタルアナログ変換部４２０とを備える。
【００４１】
カウント部４１０は、クロック信号（不図示）のカウントを行い、カウント値をデジタルアナログ変換部４２０に対して出力するものである。このカウント部４１０は、アナログデジタル変換部３１０におけるアナログデジタル変換の開始と同期してダウンカウントを開始する。
【００４２】
デジタルアナログ変換部４２０は、カウント部４１０から出力されたカウント値を参照信号に変換するものである。このデジタルアナログ変換部４２０は、デジタルアナログ変換によりカウント値を参照信号に変換する。なお、デジタルアナログ変換部４２０は、値がランプ状に低下する電流を参照信号として出力する。
【００４３】
［参照信号調整部の構成］
図６は、本技術の第１の実施の形態における参照信号調整部７００の構成例を示す図である。この参照信号調整部７００は、定電流源７１０と、ＭＯＳトランジスタ７２０と、抵抗７３０とを備える。
【００４４】
信号線４０１はＭＯＳトランジスタ７２０のゲートおよび抵抗７３０の一端に共通に接続され、抵抗７３０の他の一端は接地される。ＭＯＳトランジスタ７２０のドレインは接地される。ＭＯＳトランジスタ７２０のソースは、信号線６０１、信号線７０１および定電流源７１０の一端に接続される。定電流源７１０の他の一端は電源線Ｖｄｄに接続される。このうち、定電流源７１０およびＭＯＳトランジスタ７２０は、水平駆動部３００のアナログデジタル変換部３１０毎に配置され、複数の信号線７０１にそれぞれ配線される。また、信号線６０１も複数の信号線により構成され、定電流源７１０およびＭＯＳトランジスタ７２０にそれぞれ接続される。一方、複数のＭＯＳトランジスタ７２０のゲートは、信号線４０１および抵抗７３０の一端に共通に接続される。
【００４５】
抵抗７３０は、参照信号生成部４００からランプ状に値が変化する電流として出力された参照信号を電圧に変換するものである。
【００４６】
定電流源７１０は、定電流を供給するものである。この定電流源７１０は、ＭＯＳトランジスタ７２０とともにソースフォロワー回路を構成する。
【００４７】
ＭＯＳトランジスタ７２０は、抵抗７３０により電圧に変換された参照信号を増幅するものである。このＭＯＳトランジスタ７２０には、ＰチャンネルＭＯＳトランジスタを使用することができる。また、ＭＯＳトランジスタ７２０のソースには、信号線６０１が接続される。信号線６０１には、後述する補正値生成部６００により生成された補正値に相当する電流が出力される。この補正値に相当する電流が加算または減算されることにより、ＭＯＳトランジスタ７２０のソースの電圧を変化させることができる。これにより、参照信号を調整することができる。このような参照信号の補正が複数のＭＯＳトランジスタ７２０において個別に行われ、補正後の参照信号が信号線７０１を介してそれぞれ出力される。
【００４８】
［シェーディング］
図７は、本技術の第１の実施の形態におけるシェーディングの一例を示す図である。同図におけるａは、シェーディングを生じた画面８０１を表したものである。また、同図におけるｂは、同図におけるａの任意の行における輝度と水平位置との関係を表したものである。本技術の第１の実施の形態では、周縁部のうち画面の左右の端部と中央部との輝度が異なる形態の輝度むらを生じたシェーディングが補正の対象となる。同図においては、左側周縁部が高輝度となり、右側周縁部が低輝度となる輝度むらの例を表した。このような、画面中央部および周縁部の輝度むらは、例えば、画素アレイ部１００における周縁部の画素１１０と中央部の画素１１０の光電変換における感度が異なることにより生じる。
【００４９】
同図におけるｂの点線は、画面中央部の輝度を表したものである。同図におけるｂのグラフ８０２においては、中央部と比較して左端部が高輝度となり、右端部は低輝度となる。この中央部との輝度の差を補正することにより、シェーディングの発生を防止することができる。同図におけるｂにおいて、位置８０５および８０６は、それぞれ境界を表す。位置８０５および８０６に挟まれた領域は、輝度の補正が不要な画素の領域である。また、位置８０５および８０６から端部に接近するにつれて輝度の差が大きくなり、画面端部において差分が最大になる。同図におけるｂでは、この端部の輝度の差分をそれぞれ８０３および８０４により表した。この差分に相当する補正値が端部画素における補正値に該当する。また、位置８０５および８０６に配置された画素１１０が、周縁部境界画素に該当する。
【００５０】
端部画素と周縁部境界画素との間の画素１１０の補正値は、同図におけるｂの位置８０５および８０６と端部との間のグラフ８０２の近似値を算出することにより得ることができる。例えば、グラフ８０２に基づく線形補間を行うことにより、端部画素と周縁部境界画素との間の画素１１０の補正値を算出することができる。これにより、補正データ保持部５００の保持データを端部画素の補正値および端部から境界までの距離の４つにすることができ、補正データ保持部５００の保持容量を削減することができる。また、同図におけるｂに表したように、左右の位置８０５および８０６が対称になる場合には、何れか一方の端部から境界までの距離を、他方の辺に適用することができる。また、端部画素の補正値においても極性を除いて左右対称であるため、何れか一方の端部画素の補正値に基づいて、他方の端部画素の補正値を生成することができる。すなわち、画素アレイ部１００の対向する２辺のうちの１辺に係る端部画素の補正値および端部から境界までの距離に基づいて２辺に係る補正値を生成することができる。この場合には、補正データ保持部５００の保持容量をさらに削減することができる。
【００５１】
なお、本技術の実施の形態における補正値の生成は、この例に限定されない。例えば、２次以上の多項式補間を行うことにより、補正値を生成することもできる。
【００５２】
［画像信号の補正］
図８は、本技術の実施の形態における画像信号の補正の一例を示す図である。同図は、図４と同様に、参照信号および画像信号の波形と比較部の出力波形とを表したものである。また、同図は、シェーディングを生じた場合の画像信号と補正された参照信号とを表したものである。
【００５３】
同図の、画像信号の波形３９２のうち、実線は、図７におけるｂの位置８０５および８０６の間に配置された画素１１０の画像信号を表す。また、点線および一点鎖線は、それぞれ図７におけるｂの左側の周縁部および右側の周縁部に配置された画素１１０の画像信号を表す。この画像信号のレベルの変化を補正するため、参照信号の波形３９１を調整する。同図に表したように、画像信号の変化に応じて参照信号のレベルを点線および一点鎖線のレベルに調整することにより、画像信号の波形３９２の変化を相殺することができ、比較部３１３の出力を安定なものにすることができる。この比較部３１３の出力に基づいてアナログデジタル変換を行うことにより、シェーディングの影響を削減することができる。このように、本技術の実施の形態では、補正値により調整した参照信号に基づいて画像信号をアナログデジタル変換することにより、画像信号の補正を行う。
【００５４】
［補正値生成部の構成］
図９は、本技術の第１の実施の形態における補正値生成部６００の構成例を示す図である。この補正値生成部６００は、切替部６１０と、抵抗６２０と、電圧電流変換部６３０とを備える。なお、同図において、端部画素補正値および距離は、それぞれ信号線５０１により伝達される端部画素における補正値に応じた電圧の信号および端部から境界までの距離を表す。このうち、端部画素補正値＃１は画素アレイ部１００の行の左端に配置された端部画素の補正値に対応し、端部画素補正値＃２は画素アレイ部１００の行の右端に配置された端部画素の補正値に対応する。同様に、距離＃１は画素アレイ部１００の行の左端から左側の境界までの距離を表し、距離＃２は画素アレイ部１００の行の右端から右側の境界までの距離を表す。
【００５５】
電圧電流変換部６３０は、補正値に相当する電圧を電流に変換するものである。この電圧電流変換部６３０は、図６において説明したＭＯＳトランジスタ７２０毎に配置され、信号線６０１を介して補正値に応じた電流をそれぞれ出力する。また、同図の電圧電流変換部６３０のうち、上端および下端に配置された電圧電流変換部６３０には、それぞれ端部画素補正値＃１および＃２が入力される。
【００５６】
抵抗６２０は、補正値に相当する電圧を分圧するものである。同図においては、複数の抵抗６２０が直列に接続され、この直列接続された抵抗６２０の両端に補正データ保持部５００から出力された端部画素補正値＃１および＃２がそれぞれ印加される。この印加された補正値が複数の抵抗６２０により分圧される。分圧された電圧は、上述の複数の電圧電流変換部６３０に入力される。なお、これら複数の抵抗６２０の抵抗値は等しいものと想定する。
【００５７】
切替部６１０は、直列に接続された抵抗６２０の接続ノードを選択し、接地するものである。この切替部６１０は、補正データ保持部５００から出力された距離＃１および距離＃２に基づいて選択した接続ノードと接地との間を短絡する。具体的には、距離として伝達された端部画素からの画素数に応じて接続ノードと接地との間に配線されたスイッチをオン状態にする。例えば、距離＃１が画素数３であり、距離＃２が画素数１の場合には、切替部６１０は、同図に表したスイッチのうち上から３つ目のスイッチと下端のスイッチの２つをオン状態にする。これにより、同図の複数の電圧電流変換部６３０のうち、上から２つ目および３つ目に配置された電圧電流変換部６３０には、端部画素補正値＃１を分圧した電圧（補正値）がそれぞれ入力される。その後、電圧電流変換部６３０により電流に変換された補正値が、参照信号調整部７００に入力される。
【００５８】
一方、上から４つ目に配置された電圧電流変換部６３０および下端に配置された電圧電流変換部６３０ならびにこれらの間に配置された電圧電流変換部６３０の入力は、接地される。このため、これらの電圧電流変換部６３０からは、補正値に相当する電流は出力されず、参照信号調整部７００における参照信号の調整も実行されない。このように、端部画素補正値を抵抗６２０により分圧することにより、補正値の線形補間を行うことができる。
【００５９】
［電圧電流変換部の構成］
図１０は、本技術の実施の形態における電圧電流変換部６３０の構成例を示す図である。この電圧電流変換部６３０は、定電流源６３９と、ＭＯＳトランジスタ６３１乃至６３８とを備える。このうち、ＭＯＳトランジスタ６３１乃至６３４には、ＰチャンネルＭＯＳトランジスタを使用することができる。また、ＭＯＳトランジスタ６３５乃至６３８には、ＮチャンネルＭＯＳトランジスタを使用することができる。
【００６０】
ＭＯＳトランジスタ６３５のゲートは信号線５０１に接続され、ドレインはＭＯＳトランジスタ６３１のゲートならびにＭＯＳトランジスタ６３２のゲートおよびドレインに接続される。ＭＯＳトランジスタ６３５のソースは、ＭＯＳトランジスタ６３６のソースおよび定電流源６３９の一端に接続される。定電流源６３９の他の一端は、接地される。ＭＯＳトランジスタ６３２のソースおよびＭＯＳトランジスタ６３１のソースは、電源線Ｖｄｄに接続される。ＭＯＳトランジスタ６３１のドレインは、ＭＯＳトランジスタ６３７のドレインおよびゲートならびにＭＯＳトランジスタ６３８のゲートに接続される。ＭＯＳトランジスタ６３７およびＭＯＳトランジスタ６３８のソースは接地される。ＭＯＳトランジスタ６３８のドレインは、信号線６０１およびＭＯＳトランジスタ６３４のドレインに接続される。ＭＯＳトランジスタ６３４のゲートは、ＭＯＳトランジスタ６３３のゲートおよびドレインならびにＭＯＳトランジスタ６３６のドレインに接続される。ＭＯＳトランジスタ６３４およびＭＯＳトランジスタ６３３のソースは電源線Ｖｄｄに接続される。ＭＯＳトランジスタ６３６のゲートは、接地される。
【００６１】
また、電源線ＶｄｄおよびＶｓｓからは、それぞれ正極性および負極性の電源が供給される。なお、同図の電圧電流変換部６３０は、図９において説明した電圧電流変換部６３０のうち上端または下端に配置された電圧電流変換部６３０に該当する。これ以外の電圧電流変換部６３０においては、ＭＯＳトランジスタ６３５のゲートは、図９における直列に接続された抵抗６２０の接続ノードに接続される。
【００６２】
同図のＭＯＳトランジスタ６３５および６３６ならびに定電流源６３９は、差動増幅器を構成する。このうち、ＭＯＳトランジスタ６３６のゲートは接地されているため、上述の差動増幅器は、接地電位を基準として増幅を行う。ＭＯＳトランジスタ６３１および６３２、ＭＯＳトランジスタ６３３および６３４ならびにＭＯＳトランジスタ６３７および６３８は、それぞれカレントミラー回路を構成する。また、差動増幅器を構成するＭＯＳトランジスタ６３５および６３６のドレイン負荷としてＭＯＳトランジスタ６３２および６３３がそれぞれ接続されている。このため、ＭＯＳトランジスタ６３５のドレイン電流と略等しい値の電流がＭＯＳトランジスタ６３２、６３１、６３７および６３８のドレインに流れる。このＭＯＳトランジスタ６３８のドレイン電流は、信号線６０１から電流を引き込む方向に流れる電流である。
【００６３】
一方、ＭＯＳトランジスタ６３６のドレイン電流と略等しい値の電流がＭＯＳトランジスタ６３３および６３４のドレインに流れる。このＭＯＳトランジスタ６３４のドレイン電流は、信号線６０１に電流を供給する方向に流れる電流である。このため、差動増幅器を構成するＭＯＳトランジスタ６３５および６３６のドレイン電流の差分に相当する電流が信号線６０１に流れる。具体的には、信号線５０１の電圧（ＭＯＳトランジスタ６３５のゲートの電圧）が接地電位より高い場合には、ＭＯＳトランジスタ６３４のドレイン電流よりＭＯＳトランジスタ６３８のドレイン電流の方が大きくなり、信号線６０１に対して負極性の電流が電圧電流変換部６３０から供給される。信号線５０１の電圧が接地電位より低い場合には、ＭＯＳトランジスタ６３４のドレイン電流よりＭＯＳトランジスタ６３８のドレイン電流の方が小さくなり、信号線６０１に対して正極性の電流が電圧電流変換部６３０から供給される。
【００６４】
また、信号線５０１の電圧が接地電位と等しい場合には、電圧電流変換部６３０からの電流の供給は停止される。このように、補正値に相当する電圧が電圧電流変換部６３０により電流に変換され、図６において説明したＭＯＳトランジスタ７２０のソースに加算または減算されて、参照信号が調整される。例えば、図８において説明した画像信号の波形３９２が点線により示される信号に変化する場合には、負極性の補正値を当該画素に対応する電圧電流変換部６３０の入力に印加する。これにより、図６におけるＭＯＳトランジスタ７２０のソースに電流が加算され、参照信号を図８における点線により示された参照信号の波形３９１に調整することができ、画像信号を補正することができる。また、図８において説明した画像信号の波形３９２が一点鎖線により示される信号に変化する場合には、正極性の補正値を当該画素に対応する電圧電流変換部６３０の入力に印加する。
【００６５】
このように、本技術の第１の実施の形態では、行方向に配置された画素１１０における端部画素の補正値と端部から境界までの距離とに基づいて、周縁部に配置された画素１１０により生成された画像信号の補正値を生成する。これにより、画面の水平方向に生じたシェーディングの補正を行う際のデータ量を削減することができる。
【００６６】
［変形例］
上述の第１の実施の形態では、正極性および負極性の電圧の信号を端部画素の補正値として使用していたが、正極性の信号のみを端部画素の補正値として使用してもよい。負電源を省略して撮像装置１０の電源部を簡便な構成にするためである。本技術の第１の実施の形態の変形例では、正極性の信号のみを端部画素の補正値として使用する点において上述の第１の実施の形態と異なる。
【００６７】
図９において説明した補正値生成部６００の切替部６１０において、抵抗６２０の接続ノードと接地との間を短絡する代わりに、当該ノードに所定の基準電圧を供給する。また、図１０において説明した電圧電流変換部６３０のＭＯＳトランジスタ６３６のゲートに上述の基準電圧を印加し、電源線Ｖｓｓを接地に変更する。また、図１において説明した補正データ保持部５００は、保持した端部画素の補正値に相当する電圧に基準電圧を加算した電圧の信号を出力する。これにより、基準電圧に相当するバイアス電圧が加算されることとなり、負の極性の補正値を正の極性の信号に変換することができる。
【００６８】
このように、本技術の第１の実施の形態の変形例によれば、負電源を省略することができ、撮像装置１０の構成を簡略化することができる。
【００６９】
＜２．第２の実施の形態＞
上述の第１の実施の形態では、列毎に画像信号の補正を行っていた。これに対し、行毎に画像信号の補正を行ってもよい。本技術の第２の実施の形態では、行毎の画像信号の補正により、画面の垂直方向に生じたシェーディングの影響を削減する点において、第１の実施の形態とは異なる。
【００７０】
［シェーディング］
図１１は、本技術の第２の実施の形態におけるシェーディングの一例を示す図である。同図は、画面の任意の列における輝度と垂直位置との関係を表したものである。本技術の第２の実施の形態では、周縁部のうち画面の上下の端部と中央部との輝度が異なる形態の輝度むらを生じたシェーディングが補正の対象となる。同図のグラフ８１２が輝度と垂直位置との関係を表したグラフであり、上下の周縁部が中央部より高輝度となる輝度むらの例を表したものである。同図においては、位置８１５および８１６が境界を表す。また、差分８１３および８１４が端部および境界の輝度の差分を表す。同図においても、グラフ８１２の形状が対称であるため、上下の辺の何れか一方の辺の端部画素の補正値および端部から境界までの距離に基づいて他方の辺の端部画素の補正値等を生成することができる。
【００７１】
［参照信号調整部の構成］
図１２は、本技術の第２の実施の形態における参照信号調整部７００の構成例を示す図である。同図の参照信号調整部７００は、１組の定電流源７１０およびＭＯＳトランジスタ７２０を有する点で、図６において説明した参照信号調整部７００と異なる。同図においては、調整された参照信号が単一の信号線７０１を介して出力される。
【００７２】
また、本技術の第２の実施の形態における水平駆動部３００は、全てのアナログデジタル変換部３１０に対して信号線７０１が共通に配線され、上述の調整された参照信号が共通に入力される。
【００７３】
［補正値生成部の構成］
図１３は、本技術の第２の実施の形態における補正値生成部６００の構成例を示す図である。同図の補正値生成部６００は、選択部６４０をさらに備え、１つの電圧電流変換部６３０を有する点で、図９において説明した補正値生成部６００と異なる。
【００７４】
選択部６４０は、端部補正値等を選択するものである。この選択部６４０には、信号線５０１のうち端部画素補正値＃１が伝達される信号線と直列に接続された抵抗６２０の接続ノードのそれぞれと信号線５０１のうち端部画素補正値＃２が伝達される信号線とが接続される。そして、選択部６４０は、水平駆動部３００における行毎のアナログデジタル変換の実行と同期して上述の接続ノードまたは信号線を順に選択し、端部画素補正値または分圧された補正値を電圧電流変換部６３０に対して出力する。これにより、行毎に画像信号の補正を行うことができる。
【００７５】
同図の電圧電流変換部６３０は、選択部６４０から出力された端部画素補正値等を電流に変換し、上述の参照信号調整部７００に対して単一の信号線６０１を介して出力する。
【００７６】
また、本技術の第２の実施の形態における補正データ保持部５００は、画素アレイ部１００の列方向に配置された画素１１０における補正データを保持する。具体的には、列の両端における端部画素の補正値および端部から境界までの距離を保持し、信号線５０１を介して出力する。
【００７７】
これ以外の撮像装置１０の構成は本技術の第１の実施の形態において説明した撮像装置１０と同様であるため、説明を省略する。
【００７８】
このように、本技術の第２の実施の形態では、列方向に配置された画素１１０における端部画素の補正値と端部から境界のまでの距離とに基づいて、周縁部に配置された画素１１０により生成された画像信号の補正値を生成する。これにより、画面の垂直方向に生じたシェーディングの補正を行う際のデータ量を削減することができる。
【００７９】
＜３．第３の実施の形態＞
上述の第１の実施の形態では、列毎に画像信号の補正を行っていた。これに対し、行および列毎に画像信号の補正を行ってもよい。本技術の第３の実施の形態では、行および列毎の画像信号の補正により、画面の水平方向および垂直方向に生じたシェーディングの影響を削減する点において、第１の実施の形態とは異なる。
【００８０】
［撮像装置の構成］
図１４は、本技術の第３の実施の形態における撮像装置１０の構成例を示す図である。同図の撮像装置１０は、補正値生成部６００の代わりに列補正値生成部９１０および行補正値生成部９２０を備える点で、図１において説明した撮像装置１０と異なる。
【００８１】
列補正値生成部９１０は、列毎に補正値を生成するものである。この列補正値生成部９１０は、生成された補正値を参照信号調整部７００に対して信号線６０１を介して出力する。列補正値生成部９１０には、図９において説明した補正値生成部６００を使用することができる。
【００８２】
行補正値生成部９２０は、行毎に補正値を生成するものである。この行補正値生成部９２０は、生成された補正値を参照信号調整部７００に対して信号線６０２を介して出力する。行補正値生成部９２０には、図１３において説明した補正値生成部６００を使用することができる。
【００８３】
同図の補正データ保持部５００は、画素アレイ部１００の行方向および列方向に配置された画素１１０における補正データを保持する。このうち、行方向に配置された画素１１０における補正データは、信号線５０３を介して行補正値生成部９２０に対して出力される。また、列方向に配置された画素１１０における補正データは、信号線５０２を介して列補正値生成部９１０に対して出力される。
【００８４】
なお、列補正値生成部９１０および行補正値生成部９２０は、特許請求の範囲に記載の補正値生成部の一例である。
【００８５】
［参照信号調整部の構成］
図１５は、本技術の第３の実施の形態における参照信号調整部７００の構成例を示す図である。同図の参照信号調整部７００は、列補正値生成部９１０および行補正値生成部９２０からの補正値が入力される点で、図６において説明した参照信号調整部７００と異なる。列補正値生成部９１０から出力された列毎の補正値は、図６における参照信号調整部７００と同様に信号線６０１により伝達される。一方、同図の参照信号調整部７００には、信号線６０２が配線される。この信号線６０２は、信号線４０１および抵抗７３０の接続ノードに配線される。このため、行補正値生成部９２０から出力された行毎の補正値に相当する電流は、参照信号生成部４００から出力された参照信号に相当する電流に対して加算または減算される。これにより、参照信号を行毎に調整することができる。この行毎に調整された参照信号は、複数のＭＯＳトランジスタ７２０のゲートに共通に印加され、列毎に調整される。これにより、本技術の第３の実施の形態の撮像装置１０は、行および列毎に画像信号を補正することができ、画面の水平方向および垂直方向に生じたシェーディングの影響を削減することができる。
【００８６】
これ以外の撮像装置１０の構成は本技術の第１の実施の形態において説明した撮像装置１０と同様であるため、説明を省略する。
【００８７】
このように、本技術の第３の実施の形態によれば、行補正値生成部９２０および列補正値生成部９１０を配置して行および列毎にそれぞれの補正値を生成することにより、画面の水平および垂直方向に生じたシェーディングの補正を行うことができる。
【００８８】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００８９】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【００９０】
なお、本明細書に記載された効果はあくまで例示であって、限定されるものではなく、また、他の効果があってもよい。
【００９１】
なお、本技術は以下のような構成もとることができる。
（１）照射された光に応じた画像信号を出力する画素が行列形状に配置されて中央部および周縁部を有する画素アレイ部の前記周縁部に配置された前記画素から出力される画像信号を補正する際の補正値のうち前記画素アレイ部の端部に配置された前記画素である端部画素の前記補正値と前記端部から前記中央部および前記周縁部の境界までの距離とを保持する補正データ保持部と、
前記保持された補正値および距離に基づいて前記端部画素と前記境界に配置された画素である周縁部境界画素との間に配置された画素における前記補正値を生成する補正値生成部と、
前記補正値に基づいて前記画像信号の補正を行う補正部と
を具備する撮像素子。
（２）前記周縁部は、前記画像信号の補正の対象となる領域である前記（１）に記載の撮像素子。
（３）前記補正値生成部は、前記端部画素と前記周縁部境界画素との間に配置された画素毎に前記保持された補正値および距離に基づく線形補間を行うことにより前記補正値を生成する前記（１）に記載の撮像素子。
（４）前記補正値生成部は、前記保持された補正値に相当する電圧を抵抗により分圧することにより前記線形補間を行う前記（３）に記載の撮像素子。
（５）前記補正データ保持部は、前記画素アレイ部の行方向に配置された前記端部画素の補正値と前記行における前記端部から前記境界までの距離とを保持し、
前記補正値生成部は、前記画素アレイ部の列毎に前記補正値を生成し、
前記補正部は、前記列毎に前記補正を行う
前記（１）から（４）のいずれかに記載の撮像素子。
（６）前記補正部が前記列毎に配置されて、当該複数の補正部は前記生成された列毎の補正値に基づいてそれぞれ前記補正を行う前記（５）に記載の撮像素子。
（７）前記補正データ保持部は、前記画素アレイ部の列方向に配置された前記端部画素の補正値と前記列における前記端部から前記境界までの距離とを保持し、
前記補正値生成部は、前記行毎に前記補正値を生成し、
前記補正部は、前記行毎に前記補正を行う
前記（１）から（４）のいずれかに記載の撮像素子。
（８）前記補正データ保持部は、前記画素アレイ部の行方向および列方向に配置された前記端部画素の補正値と前記行および列における前記端部から前記境界までの距離とを保持し、
前記補正値生成部は、前記行および列毎に前記補正値を生成し、
前記補正部は、前記行および列毎に前記補正を行う
前記（１）から（４）のいずれかに記載の撮像素子。
（９）前記補正データ保持部は、前記画素アレイ部における対向する２辺のうちの１辺に係る前記端部画素の補正値と前記１辺に係る前記端部から前記境界までの距離とを保持し、
前記補正値生成部は、前記保持された１辺に係る補正値および距離に基づいて前記２辺に係る前記補正値を生成する
前記（１）から（８）のいずれかに記載の撮像素子。
（１０）前記画素から出力された画像信号に対するアナログデジタル変換を行う際の基準となる信号である参照信号を生成する参照信号生成部と、
前記生成された補正値に基づいて前記参照信号を調整する参照信号調整部と
をさらに具備し、
前記補正部は、前記調整された参照信号に基づいて前記アナログデジタル変換を行うことにより前記補正を行う
前記（１）から（９）のいずれかに記載の撮像素子。
（１１）照射された光に応じた画像信号を出力する画素が行列形状に配置されて中央部および周縁部を有する画素アレイ部の前記周縁部に配置された前記画素から出力される画像信号を補正する際の補正値のうち前記画素アレイ部の端部に配置された前記画素である端部画素の前記補正値と前記端部から前記中央部および前記周縁部の境界までの距離とを保持する補正データ保持部と、
前記保持された補正値および距離に基づいて前記端部画素と前記境界に配置された画素である周縁部境界画素との間に配置された画素における前記補正値を生成する補正値生成部と、
前記補正値に基づいて前記画像信号の補正を行う補正部と、
前記補正された画像信号を処理する処理回路と
を具備する撮像装置。
【符号の説明】
【００９２】
１０  撮像装置
１００  画素アレイ部
１１０  画素
２００  垂直駆動部
３００  水平駆動部
３１０  アナログデジタル変換部
３１１、３１２  キャパシタ
３１３  比較部
３１４、４１０  カウント部
３２０  画像信号水平転送部
４００  参照信号生成部
４２０  デジタルアナログ変換部
５００  補正データ保持部
６００  補正値生成部
６１０  切替部
６２０、７３０  抵抗
６３０  電圧電流変換部
６３９、７１０  定電流源
６４０  選択部
７００  参照信号調整部
９１０  列補正値生成部
９２０  行補正値生成部
【図１】
2018056723.tif 000003
【図２】
2018056723.tif 000004
【図３】
2018056723.tif 000005
【図４】
2018056723.tif 000006
【図５】
2018056723.tif 000007
【図６】
2018056723.tif 000008
【図７】
2018056723.tif 000009
【図８】
2018056723.tif 000010
【図９】
2018056723.tif 000011
【図１０】
2018056723.tif 000012
【図１１】
2018056723.tif 000013
【図１２】
2018056723.tif 000014
【図１３】
2018056723.tif 000015
【図１４】
2018056723.tif 000016
【図１５】
2018056723.tif 000017